(57)【要約】【課題】配管施工やメンテナンスに手間のかかる壁内への埋設配管を行うことなく、操作が容易であり、なおかつ、漏水時の安全性にも優れた洗濯機用水栓を提供する。【解決手段】床を貫通し室内側に導かれる可撓性配管と、室内側に設置される水栓本体とを有し、前記可撓性配管は壁近傍の床面を貫通して設置されるとともに、前記水栓本体と連通接続され、更に前記水栓本体には洗濯機への給水を制御するバルブと前記バルブを操作する操作部と、洗濯機から延びる給水ホースが接続される吐水部とを備えた洗濯機用水栓において、前記バルブ本体を壁面または壁近傍に配置するとともに、前記バルブを遠隔操作するための前記操作部を前記バルブ本体から切り離して、洗濯機全面部もしくは上面部に配置した洗濯機用水栓としたこと。【選択図】　図１
2004076338.tif 000002
【特許請求の範囲】
【請求項１】
床を貫通し室内側に導かれる可撓性配管と、室内側に設置される水栓本体とを有し、前記可撓性配管は壁近傍の床面を貫通して設置されるとともに、前記水栓本体と連通接続され、更に前記水栓本体には洗濯機への給水を制御するバルブと前記バルブを操作する操作部と、洗濯機から延びる給水ホースが接続される吐水部とを備えた洗濯機用水栓において、バルブ本体を壁面または壁近傍に配置するとともに、前記バルブを遠隔操作するための前記操作部を前記バルブ本体から切り離したことを特徴とする洗濯機用水栓。
【請求項２】
前記バルブを操作する操作部を洗濯機前面部もしくは上面部に配置したことを特徴とする第１項記載の洗濯機用水栓。
【請求項３】
前記バルブは、ダイヤフラムによりバルブの開閉が行われることを特徴とする請求項第１乃至２項記載の洗濯機用水栓。
【請求項４】
洗濯機近傍の床面上にボックスを設け、前記バルブ本体を前記ボックス上面部に配置し、前記バルブ本体が凹形状カバーにより隠ぺいされ、前記吐水部を前記カバーより突設させるとともに、前記カバーと前記ボックスとを嵌合させたことを特徴とする請求項第１乃至３項記載の洗濯機用水栓。
【請求項５】
前記ボックスまたは前記カバーの外周部に前記操作部を配置したことを特徴とする請求項第２または４項記載の洗濯機用水栓。
【請求項６】
前記ボックスまたは前記カバーが、収納機能を有することを特徴とする請求項第４乃至５項記載の洗濯機用水栓。
【請求項７】
前記ボックスの外周部に凸部形状が成形されるとともに、底面部に排水口を成形した防水パンを備え、前記ボックスの外周部の凸部上に前記バルブ本体が配置され、前記バルブ本体が前記凹形状カバーにより隠ぺいされるとともに、前記操作部を前記防水パン外周凸部または前記カバー外周部に配置したことを特徴とする請求項第４乃至６項記載の洗濯機用水栓。
【発明の詳細な説明】
【０００１】
【発明の属する技術分野】
本発明は、洗濯機に湯水を供給するための洗濯機用水栓に関する。
【０００２】
【従来の技術】
従来の洗濯機用水栓は、洗濯機が設置される部屋の壁面から突出させる方法が一般的であり、このような方法では、洗濯機用水栓への給水を行うための配管を、壁裏面に敷設し給水栓を壁内に埋設する必要があるため、配管施工やメンテナンスの際、工数やコスト等が多くなるという問題を抱えていた。
【０００３】
そこで、最近では、特開２０００−１７０２２３や特開平１０−１８３７６号公開に開示されている洗濯機用水栓等のように、床面と洗濯機との間に介在する洗濯機用パンに、洗濯機用水栓を突出状に配置させたり、床下に配設された配管に洗濯機用水栓を接続し、床面に埋設された収納ボックス内に洗濯機用水栓を配置させることにより上記問題を解決している。
【０００４】
また、床面から配管を突出させ洗濯機用水栓を配置させる際、室内空間の有効利用およびデザイン性の面から、壁際になるべく低く洗濯機用水栓を配置させることが望ましい。このため、床面に洗濯機用水栓を壁際の低い位置に配置するか、床面に埋設された収納ボックス内に洗濯機用水栓を組み込み、そのボックスを使用者の操作しやすい位置に配置していた。また、防水パン上に配置する際、洗濯用水栓を防水パン面上で壁際に、なおかつ、低い位置に配置するか、洗濯機前面部付近に設置する場合、防水パン内に隠ぺし吐水口のみを防水パンから突出させていた。
【０００５】
【発明が解決しようとする課題】
しかしながら、このような方法では、バルブ本体と操作部が一体であるため、バルブ本体とともに操作部が隠ぺいされる。また、隠ぺいされずとも壁際に、さらに、低い位置に設置されるため、実際に洗濯機を配置すると操作が困難になる上、バルブの開閉状態を容易に確認できなくなる。このため、洗濯機用水栓使用後、バルブの閉め忘れが発生する可能性があり、その閉め忘れにより漏水事故を引き起こす恐れがあった。
【０００６】
本発明は上記従来技術の問題を解決するためになされたもので、配管施工やメンテナンスに手間のかかる壁内への埋設配管を行うことなく、操作が容易であり、なおかつ、漏水時の安全性にも優れた洗濯機用水栓を提供することを目的とする。
【０００７】
【課題を解決するための手段および作用・効果】
上記課題を解決するためになされた請求項１記載の発明は、床を貫通し室内側に導かれる可撓性配管と、室内側に設置される水栓本体とを有し、前記可撓性配管は壁近傍の床面を貫通して設置されるとともに、前記水栓本体と連通接続され、更に前記水栓本体には洗濯機への給水を制御するバルブと前記バルブを操作する操作部と、洗濯機から延びる給水ホースが接続される吐水部とを備えた洗濯機用水栓において、バルブ本体を壁面または壁近傍に配置するとともに、前記バルブを遠隔操作するための前記操作部を前記バルブ本体から切り離したことを特徴とする。
【０００８】
請求項１の発明においては、バルブを遠隔操作する操作部をバルブ本体とは分離して設置することができ、バルブ本体を壁際に、さらに低い位置、またはバルブ本体を隠ぺいして設置することできるため、室内空間の有効利用およびデザイン性を損なうことはない上、配管処理を床下で行うことができるため、配管施工やメンテナンスの手間、工数、コスト等が低減される。
【０００９】
さらに、操作部を洗濯機前面部または洗濯機上部等の使用者にとって操作しやすい位置に設置することにより、バルブ開閉操作が容易になり、バルブの開閉状態を容易に確認できる。このため、洗濯機用水栓使用後、バルブの閉め忘れによる漏水事故を事前に防ぐことができる。
【００１０】
請求項３の発明は、ダイヤフラムによりバルブの開閉が行われることを特徴とする。
【００１１】
本発明においては、バルブ本体にダイヤフラムを使用することにより、操作部を押すことによりバルブの開閉が行われるため、従来の回転による開閉式バルブに比べて、容易な構造でバルブ本体を遠隔操作し易くなる。このため、操作部の設置自由度が向上する。さらに、利用者にとって操作性が向上する。
【００１２】
また、単水栓、または、温調機能を有する洗濯機用水栓を使用する際、一端、給水操作が施されると、流量操作されないのが一般的であることから、洗濯機用水栓の最低限の必要機能としては、給水・止水機能のみとなる。また、洗濯機への供給流量が多い場合は、定流量弁を内蔵することにより供給流量を設定することができる。
【００１３】
請求項４の発明は、洗濯機近傍の床面上にボックスを設け、前記バルブ本体を前記ボックス上面部に配置し、前記バルブ本体が凹形状カバーにより隠ぺいされ、前記吐水部を前記カバーより突設させるとともに、前記カバーと前記ボックスとを嵌合させたことを特徴とする。
【００１４】
これにより、バルブ本体が露出しないため、バルブの誤動作がなくなり安全性が向上する上、洗濯機水栓本体や配管を点検する際にも水栓本体を床から外すことなくカバー部材だけを外せばすむので手間がかからない上、バルブ本体を隠ぺいしているため、洗濯機を配置する際、洗濯機用水栓を傷つけることはなく、デザイン性を損なうことはない。
【００１５】
さらに、ボックスおよびカバーの外周部に遠隔操作用の操作部を設置することにより、洗濯機を設置しなくても洗濯機水栓を設置することができる上、デザイン性が向上する。
【００１６】
また、ボックス自体に収納機能を付加することに、利用者にとって洗面所空間における収納性が向上する。
【００１７】
請求項７の発明は、前記ボックスの外周部に凸部形状が成形されるとともに、底面部に排水口を成形した防水パンを備え、前記ボックスの外周部の凸部上に前記バルブ本体が配置され、前記バルブ本体が前記凹形状カバーにより隠ぺいされるとともに、前記操作部を前記防水パン外周凸部または前記カバー外周部に配置したことを特徴とする。
これにより、操作部を洗濯機前面部に容易に設置することができる上、洗濯機用水栓からの水漏れが生じたとき、漏れ水を防水パン内で受けることができ、床を水浸しにする恐れがなくなる。
【００１８】
【発明の実施の形態】
本各発明に関わる「洗濯機水栓」の実施の形態を各発明毎に、図面に従って詳細に説明する。
図１は、本発明の第１の実施形態である洗濯機用水栓１と洗濯機Ｓを接続した状態を示す斜視図である。図２は、洗濯機用水栓１を遠隔操作するための操作部１２を洗濯機Ｓの上面部に配置した斜視図である。
【００１９】
以下、標準的な施工手順を図３により構造および特徴等を説明する。まず、壁Ｗと床Ｆが施工された後、洗濯機用水栓１が配置される部分に貫通穴１３を設け、床下から可撓性配管としての樹脂配管１４とそれを保護するさや管１５を貫通穴１３に通して室内側に引き込む。そして、さや管１５を図３に示す洗濯機用水栓１のさや管固定部材としてのベース１６に弛みなく取付ができる程度の長さに切断するとともに、樹脂配管１４も洗濯機用水栓１本体に取付ができる程度の長さに切断する。
【００２０】
次に、さや管を図３に示すようにベース１６に固定し、樹脂配管１４を導入後、樹脂配管１４の先端から漏水受け具１７を挿入し、水栓本体の一部としての継ぎ手１８に樹脂配管１４を接続する。その後、図４に示すように、ベース１６を床Ｆに木ねじ１９により固定する。
【００２１】
次に、バルブ本体２０を継ぎ手１８に接続した後、クイックファスナー２１を嵌め込むことによって抜け止めを行う。また、バルブ本体２０上部に接続される吐水部接続管２２についても、同様にクイックファスナー２１によって抜け止めされる。バルブ本体２０はビス２３によって、ボックス２４に固定される。その後、吐水部接続管２２に吐水部２６を接続し、カバー２５から吐水部２６が突出するように、カバー２５をボックス２４に取り付け、図６に示すように、カバー２５をビス２７によって固定する。その後、ホース接続固定部２８を吐水部２６に挿入し固定する。
【００２２】
次にバルブ本体２０に、遠隔操作を目的としたリードワイヤー２９を接続し、袋ナット３０で固定する。その後、リードワイヤー２９に操作部１２を接続すれば、施工は完了となる。
【００２３】
図３に示すように、バルブ本体２０には、定流量吐水および簡易開閉操作を目的としたダイヤフラム３１が内蔵されており、そのダイヤフラム３１を遠隔操作するためのリードワイヤー２９および操作ピン３２が接続される。また、リードワイヤー２９の末端にはリードワイヤー２９を操作するための操作部１２が接続されている。その操作部１２を操作することにより、リードワイヤー２９を伝って操作ピン３２が動作し、ダイヤフラム３１の開閉を行う。このため、バルブ本体２０と操作部１２を切り離して設置することが可能である。
【００２４】
また、図３に示すように吐水部２６の先端には洗濯機Ｓからの供給ホース２が接続される接続部３を備えており、その接続部３には供給ホース２が万一外れた場合に水が噴き出すのを防ぐ緊急止水弁３３を備えている。尚、この緊急止水弁３３は供給ホース２を接続することにより、緊急止水弁３３の先端が押され、シート部３４が開き、通水できるようになっている。また、吐水部２６の内部通路には逆流防止弁３５と、その上流にバネ３６が設けられている。これにより、汚水の逆流を防止するとともに、洗濯機Ｓに内蔵されている電磁弁の開閉によるウォーターハンマー現象を緩和することができる。
【００２５】
尚、図４〜６に示すように、ボックス２５内で漏水が発生した場合には、漏水は継ぎ手１８から樹脂配管１４を伝って漏水受け具１７上に流れ落ちてくる。この漏水受け具１７の外周には凸形状部３７と切欠き部３８が形成されており、漏水受け具１７に溜まった漏水は、切欠き部３８からボックス２５に形成されている溝部３９を伝って、漏水検知口４０に流れ出す。このようにして万一漏水が発生しても早期に発見することができる。
【００２６】
図７は、操作部１２を洗濯機Ｓの上方に配置した場合の図である。また、図７は、ダイヤフラムの操作に電磁スイッチを使用して電磁バルブ化し、電波や音波などを利用して電磁スイッチを遠隔操作するように、完全に操作部１２と洗濯機用水栓１を切り離した場合の図である。
【００２７】
以上のような構成により、洗濯機用水栓１を壁際になるべく低く配置し、簡易操作を目的とした操作部１２を、利用者が使用し易い位置に配置することが可能となる。
【００２８】
また、図８はボックスに収納機能部４１を付加し、操作部１２を洗濯機Ｓの前面部に来るように配置した場合の斜視図である。
【００２９】
図９は本発明の第２の実施形態である洗濯機用水栓１を示す斜視図である。図１０は、図９の洗濯機およびカバー部材を取り除いた状態を示す断面図である。この第２の実施の形態は、第１の実施の形態に洗濯機用パンＰを組み合わせたものであるため、第１の実施の形態との相違点のみを説明する。
【００３０】
図１０に示すように、洗濯機用パンＰの外周凸部４２にバルブ本体２０を納める凹部４３と配管貫通穴４４が形成されており、床Ｆに設けられた貫通穴１３から引き出された可撓性配管１４が貫通穴１３を通って室内側に引き出され、洗濯機用水栓１に接続される。
【００３１】
遠隔操作部は、操作部１２と操作ピン３２を操作棒４５によりダイレクトに接続される。また、遠隔操作部においては、第１の実施形態で説明したリードワイヤー２９等を使用しても良い。
【００３２】
図１１は、本発明の第３の実施形態である洗濯機用水栓を示す斜視図である。これは、第１の実施形態である図８の収納機能付き洗濯機用水栓に洗濯機パンＰを組み込んだものである。この場合、図９の第２の実施形態のである洗濯機パンＰの洗濯機用水栓１を取り付ける外周凸部４２を大きくして、収納機能を付加しても良いが、洗濯機パンＰ上に収納機能付き洗濯機用水栓１を配置しても良い。また、図１２に示すように、図９の洗濯機用水栓１の洗濯機パンＰの下に収納機能を付加しても良い。
【００３３】
また、湯水混合水を使用する場合は、ミキシングバルブをバルブ本体２０より上流側に設置し、それぞれの湯水がミキシングバルブで混合された後、吐水部から吐水できるようにすると良い。
【００３４】
【発明の効果】
本発明による洗濯機用水栓では、操作部と水栓本体を切り離して設置できるため、水栓本体を壁際に低く設置し、操作部を利用者の使用しやすい位置に配置することができるため、室内空間を有効的に利用できる上、バルブ開閉操作が容易になり、バルブの開閉状態を容易に確認できる。このため、洗濯機用水栓使用後、バルブの閉め忘れによる漏水事故を事前に防ぐことができる。さらに、配管施工やメンテナンスの手間、工数、コスト等が低減される。
【図面の簡単な説明】
【図１】本発明の第１の実施形態である洗濯機用水栓と洗濯機を接続した状態を示す斜視図である。
【図２】図１の洗濯機用水栓に対して、操作スイッチ取付位置違いの洗濯機用水栓と洗濯機を接続した状態を示す斜視図である。
【図３】図１の洗濯機用水栓の要部断面図である。
【図４】図１の洗濯機用水栓の施工手順を示す斜視図である。
【図５】図１の洗濯機用水栓の施工手順を示す斜視図である。
【図６】図１の洗濯機用水栓の施工手順を示す斜視図である。
【図７】第１の実施形態である洗濯機用水栓の操作部とバルブ本体を完全に切り離した場合を示す斜視図である。
【図８】第１の実施形態である洗濯機用水栓に収納機能を付加した場合を示す斜視図である。
【図９】本発明の第２の実施形態である洗濯機用水栓を示す斜視図である。
【図１０】図９の洗濯機用水栓の要部断面図である。
【図１１】本発明の第３の実施形態である洗濯機用水栓を示す斜視図である。
【図１２】図１１のバリエーションを示す斜視図である。
【符号の説明】
１…洗濯機用水栓、操作部…１２、貫通穴…１３、樹脂配管…１４、さや管…１５、ベース…１６、漏水受け具…１７、継ぎ手…１８、バルブ本体…２０、ボックス…２４、カバー…２５、吐水部…２６、リードワイヤー…２９、ダイヤフラム…３１、操作ピン…３２、漏水検知口…４０、収納機能部…４１、床…Ｆ、洗濯機パン…Ｐ、洗濯機…Ｓ、壁…Ｗ
【図１】
2004076338.tif 000003
【図２】
2004076338.tif 000004
【図３】
2004076338.tif 000005
【図４】
2004076338.tif 000006
【図５】
2004076338.tif 000007
【図６】
2004076338.tif 000008
【図７】
2004076338.tif 000009
【図８】
2004076338.tif 000010
【図９】
2004076338.tif 000011
【図１０】
2004076338.tif 000012
【図１１】
2004076338.tif 000013
【図１２】
2004076338.tif 000014